(57)【要約】【課題】プリズム構造や反射ドット印刷等を施した導光シートを用いることなく全体を均一に発光させる照光キースイッチを提供する。【解決手段】照光キースイッチ１０は、基板１１上に設けられて互いに離間した２つの接点を有するキースイッチ１２と、基板１１上でキースイッチ１２の一側側に設けられて基板１１に対して垂直方向に光を照射する光源１３と、キースイッチ１２と光源１３との上側に配置されてキースイッチ１２の対向面と反対面よりなる照光面部１４ａが光源１３の光により照光されてキースイッチ１２を押圧するための透光性部材よりなる照光スイッチ板１４とを備え、照光スイッチ板１４は光源との対向面よりなる入光面部１４ｂから入射される光をキースイッチ１２の上側に向けて反射させる反射部１４ｃを有し、照光面部１４ａと入光面部１４ｂを除いた周面の少なくとも一部に反射部１４ｃにより反射させた光を照光面部１４ａ側に乱反射させる微細な凹凸を形成した。【選択図】図１
2012248483.tif 000002
【特許請求の範囲】
【請求項１】
基板上に設けられたキースイッチと、
前記基板上で前記キースイッチの一側側に設けられて前記基板に対して垂直方向に光を照射する光源と、
前記キースイッチと前記光源との上側に配置されて前記キースイッチの対向面と反対面よりなる照光面部が前記光源の光により照光して前記キースイッチを押圧するための透光性部材よりなる照光スイッチ板とを備え、
前記照光スイッチ板は前記光源との対向面よりなる入光面部から入力される光を前記キースイッチの上側に向けて反射させる反射部を有し、前記照光面部と前記入光面部を除いた周面の少なくとも一部に前記反射部により反射させた光を前記照光面部側に乱反射させる微細な凹凸を形成したことを特徴とする照光キースイッチ。
【請求項２】
請求項１に記載の照光スイッチにおいて、
前記照光スイッチ板の前記光源が設けられた一側側と反対側の他側側の周縁部に前記入光面部から入射した光が前記反射部により反射された先でさらに前記照光面部側に反射させる第２反射部を有したことを特徴とする照光キースイッチ。
【請求項３】
請求項１または２に記載の照光キースイッチにおいて、
前記照光スイッチ板は透光性のある樹脂部材よりなり、前記凹凸をシボ加工により形成したことを特徴とする照光キースイッチ。
【発明の詳細な説明】
【技術分野】
【０００１】
本発明は、電気機器の操作パネルに用いる照光キースイッチに関する。
【背景技術】
【０００２】
特許文献１には電気機器に用いる照光機能を有する照光キースイッチが開示されている。特許文献１の図４の参考例に記載されている照光キースイッチは、中央接点とこの中央接点の周りに配置された外周接点となる固定接点部を表面に設けた基板と、この基板の外周接点に当接する外周縁を備えるとともに中央接点に対向する頭頂部の可動接点部を備えたスイッチ用ドームと、基板上にスペーサを介して取り付けられてスイッチ用ドームの上側に向けて光を照射するＬＥＤよりなる発光素子と、スイッチ用ドームの上側に配置されて発光素子の光をスイッチ用ドームの頭頂部の上方に導光するための導光シートと、導光シートの上側に配置されて上面に押しボタン部が設けられるとともに下面に設けられたプランジャが導光シートに形成したプランジャ用孔に挿通されてスイッチ用ドームの頭頂部に当接したキーマットとを備えている。このような照光キースイッチに用いられる導光シートには、上面の発光面を照光させるために、プリズム構造もしくは反射ドット印刷等が施されている。この照光キースイッチでは、キーマットの押しボタン部を押圧するとスイッチ用ドームの可動接点部が中央接点に接触して電気的に接続され、照光キースイッチがオン状態となる。このとき、発光素子は通電されて発光し、発光素子の光は導光シートの側面の入射面から内部に伝播され、導光シートの上面よりなる発光面はプリズム構造もしくは反射ドット印刷等により反射した光により照光される。
【先行技術文献】
【特許文献】
【０００３】
【特許文献１】特開２０１０−０６１９５５号公報
【発明の概要】
【発明が解決しようとする課題】
【０００４】
特許文献１の図４の参考例に記載されている照光キースイッチでは、発光素子の光を導光シートによりキーマットの押しボタン部の上面の照光面に光を導くようにしているが、導光シートが薄いために入光量が限られ、導光シートの入光部の反対側部分を十分に照光させることができないことがあった。導光シートの両側に発光素子を設けるようにすれば、導光シートの全体を十分に照光させるようにできるが、発光素子を取り付けるスペースを確保できない場合があり、また、取り付けるスペースがあってもコストが高くなる問題があった。また、導光シートはその内部に光を反射させるためのプリズム構造や反射ドット印刷を施したものであるので、これを用いた照光キースイッチのコストが高くなるとともに、入力部となる導光シートの側面の厚みを容易に変更できなかった。また、この照光キースイッチは、部品点数が多いので組み付け作業を含めたコストが高くなる問題があった。本発明これらの問題を解決することを目的とする。
【課題を解決するための手段】
【０００５】
上記課題を解決するために本発明は、基板上に設けられたキースイッチと、基板上でキースイッチの一側側に設けられて基板に対して垂直方向に光を照射する光源と、キースイッチと光源との上側に配置されてキースイッチの対向面と反対面よりなる照光面部が光源の光により照光してキースイッチを押圧するための透光性部材よりなる照光スイッチ板とを備え、照光スイッチ板は光源との対向面よりなる入光面部から入力される光をキースイッチの上側に向けて反射させる反射部を有し、照光面部と入光面部を除いた周面の少なくとも一部に反射部により反射させた光を照光面部側に乱反射させる微細な凹凸を形成したことを特徴とする照光キースイッチを提供するものである。
【０００６】
上記のように構成した照光キースイッチにおいては、照光スイッチ板は光源との対向面よりなる入光面部から入力される光をキースイッチの上側に向けて反射させる反射部を有し、照光面部と入光面部を除いた周面の少なくとも一部に反射部により反射させた光を照光面部側に乱反射させる微細な凹凸を形成したので、光源から照射された光は反射部によりキースイッチの上側に反射され、反射された光は照光スイッチ板の周面に形成された微細な凹凸により照光面部側に乱反射されるようになり、照光スイッチ板の照光面部はこの乱反射された光によって全体が均一に照光されるようになる。また、この照光キースイッチの照光スイッチ板はキースイッチを押圧させる従来のキートップと光源の光を導光する従来の導光シートとの両方の機能を有するものであるので、部品点数を減らしてコストを下げることができる。
【０００７】
上記のように構成した照光キースイッチにおいては、照光スイッチ板の光源が設けられた一側側と反対側の他側側の周縁部に入光面部から入射した光が反射部により反射された先でさらに照光面部側に反射させる第２反射部を有したので、入光面部から入射した光は一側側の入光面部側だけでなく反射部で反射された先の他側側でもさらに効率よく照光面部に照光させることができるようになる。
【０００８】
上記のように構成した照光キースイッチにおいては、照光スイッチ板は透光性のある樹脂部材よりなり、凹凸をシボ加工により形成するのが好ましく、このようにしたときには照光スイッチ板に容易に凹凸の加工をすることができるようになる。
【図面の簡単な説明】
【０００９】
【図１】（ａ）本発明の一実施形態である照光キースイッチの正面図であり、（ｂ）縦断面図である。
【図２】（ａ）照光スイッチ板の正面図であり、（ｂ）照光スイッチ板の背面図であり、（ｃ）照光スイッチ板の側面図であり、（ｄ）照光スイッチ板の平面図である。
【図３】（ａ）照光スイッチ板の変形例の正面図であり、（ｂ）照光スイッチ板の変形例の背面図であり、（ｃ）照光スイッチ板の変形例の側面図であり、（ｄ）照光スイッチ板の変形例の平面図である。
【発明を実施するための最良の形態】
【００１０】
以下、本発明の照光キースイッチの一実施形態を添付図面を参照して説明する。図１及び図２に示すように、本実施形態の照光キースイッチ１０は、例えばスチームコンベクションオーブン等の電気機器の操作パネルＰの操作スイッチに用いられるものであり、基板１１上に設けられて互いに離間した２つの接点を有するキースイッチ１２と、基板１１上でキースイッチの一側側に設けられて基板１１に対して垂直方向に光を照射する光源１３と、キースイッチ１２と光源１３との基板１１に対する垂直方向の上側に配置されてキースイッチ１２の対向面と反対面よりなる照光面部１４ａが光源１３の光により照光してキースイッチ１２を押圧するための透光性部材よりなる照光スイッチ板１４とを備えている。
【００１１】
操作パネルＰ内には照光キースイッチ１０の基板１１が設けられており、基板１１上にはスチームコンベクションオーブンの前面側にキースイッチ１２が設けられている。このキースイッチ１２は、基板１１上に互いに離間して固定された２つの固定接点（図示省略）と、これら固定接点を収容するマグネットよりなる筐体部１２ａと、筐体部１２ａの天板部に形成した貫通孔から進退可能に突出して押圧されたときに２つの固定接点を接続する導電性の金属部材よりなるスイッチ部１２ｂとからなる。このキースイッチ１２においては、スイッチ部１２ｂを押圧すると、スイッチ部１２ｂは筐体部１２ａの磁力に抗してその内部に移動し、このスイッチ部１２ｂは２つの固定接点に同時に接触して、２つの固定接点はこのスイッチ部１２ｂにより導通される。
【００１２】
基板１１上にはキースイッチ１２の一側側として下側に光源としてＬＥＤ１３が設けられており、ＬＥＤ１３はキースイッチ１２をオンさせたときに基板１１に対して垂直方向に光を照射するものである。
【００１３】
キースイッチ１２とＬＥＤ１３との基板１１に対する垂直方向の上側（この実施形態では基板１１を垂直に立てているのでその前面側）にはキースイッチ１２のスイッチ部１２ｂを押圧するための照光スイッチ板１４が設けられている。照光スイッチ板１４は例えば透光性を有したアクリル板であり、射出成形により成形されている。照光スイッチ板１４はキースイッチ１２の対向面と反対面をＬＥＤ１３の光によって照光される照光面部１４ａとしている。照光スイッチ板１４はキースイッチ１２のＬＥＤ１３の対向面を光を入光させる入光面部１４ｂとしている。照光スイッチ板１４の下部の入光面部１４ｂと反対面には、ＬＥＤ１３の光をキースイッチ１２のスイッチ部１２ｂ側に向けて反射させるように、下側が入光面部１４ｂ側（裏側）に傾斜する第１反射部（反射部）１４ｃが形成されている。また、照光スイッチ板１４には、ＬＥＤ１３が設けられた図１の下側（一側側）と反対側の上側（他側側）の周縁部として、照光スイッチ板１４の照光面部１４ａと反対面の上部及びこれから連続する側部には、照光面部１４ａ側に傾斜する第２反射部１４ｄが形成されている。この第２反射部１４ｄは入光面部１４ｂから入光して第１反射部１４ｃによりキースイッチ１２の上側に反射されたＬＥＤ１３の光を照光面部１４ａの入光面部１４ｂと離れた他側側にさらに反射させるものである。
【００１４】
照光スイッチ板１４には照光面部１４ａ、入光面部１４ｂ及び第１反射部１４ｃを除いた部分に微小の凹凸よりなるシボ加工が成形時に施されており（図２（ｂ）のドット模様で示した）、第１反射部１４ｃによりスイッチ部１２ｂ側に反射した光は各面にシボ加工により形成された微小の凹凸により乱反射して照光面部１４ａから照射される。また、照光キースイッチ１０の照光スイッチ板１４の照光面部１４ａ側には操作パネルＰの前面を覆う表面シートＰ１が接着されており、この表面シートＰ１は照光スイッチ板１４の照光面部１４ａと対向する照光面Ｐ１ａが透明となっている。なお、照光スイッチ板１４の照光面部１４ａを除く前面下部及び第１反射部１４ｃには鏡面状の反射テープＲ（図１（ａ）及び図２（ａ）の２点鎖線により示す）を貼ると、ＬＥＤ１３の光をスイッチ部１２ｂ側に効率よく反射させることができ、照光面部１４ａをさらに明るくすることができる。
【００１５】
上記のように構成した照光キースイッチ１０においては、照光スイッチ板１４はＬＥＤ１３との対向面よりなる入光面部１４ｂから入力される光をキースイッチ１２のスイッチ部１２ｂの上側に向けて反射させる第１反射部１４ｃを有し、照光面部１４ａと入光面部１４ｂ及び第１反射部１４ｃを除いた周面には第１反射部１４ｃにより反射させた光を照光面部１４ａ側に乱反射させる微細な凹凸をシボ加工により形成した。ＬＥＤ１３から照射された光は第１反射部１４ｃによりキースイッチ１２のスイッチ部１２ｂの上側に向けて反射され、反射された光は照光スイッチ板１４の周面にシボ加工により形成された微細な凹凸により照光面部１４ａ側に乱反射される。これにより、照光スイッチ板１４の照光面部１４ａは照光スイッチ板１４の周面に形成された微細な凹凸により乱反射される光によって全体が均一となるように照光されるようになる。また、この照光キースイッチ１０の照光スイッチ板１４はキースイッチ１２を押圧させる従来のキートップと光源の光を導光する従来の導光シートとの両方の機能を有するものであるので、部品点数を減らしてコストを下げることができるようになった。
【００１６】
また、この照光キースイッチ１０においては、照光スイッチ板１４のＬＥＤ１３が設けられた一側側と反対側の他側側の周縁部として、照光スイッチ板１４の照光面部１４ａと反対面の上部及びこれから連続する側部には、照光面部１４ａ側に傾斜する第２反射部１４ｄが形成されている。この第２反射部１４ｄは入光面部１４ｂから入光して第１反射部１４ｃによりキースイッチ１２の上側に反射されたＬＥＤ１３の光を照光面部１４ａの入光面部１４ｂと離れた側でさらに反射させるものである。これにより、照光スイッチ板１４は入光面部１４ｂから離れた反対側も明るく照光されるようになり、照光面部１４ａはさらに均一に照光されるようになる。
【００１７】
また、この照光キースイッチ１０においては、照光スイッチ板１４はアクリル等の透光性のある樹脂部材よりなり、微細な凹凸をシボ加工により射出成形時に形成したものであるので、照光スイッチ板１４に容易に凹凸の加工をすることができるようになる。また、この照光スイッチ板１４は、一部にＬＥＤ１３の光を乱反射させるためのシボ加工を施しただけであり、また、特殊な素材を用いたり特殊な加工をすることがないので、コストが高くなることがない。また、照光スイッチ板１４は透光性のある樹脂部材を射出成形したものであるので、照光スイッチ板１４の形状及び厚みを容易に変更することができる。また、この照光キースイッチ１０の光源に用いたＬＥＤ１３は基板１１に対して垂直方向に光を照射するトップビュータイプのものであり、操作パネルＰに用いられる他のＬＥＤと同じトップビュータイプのものを用いることができて、従来の基板に対して平行に光を照射するサイドビュータイプを用いたときと比べて部品の種類を減らすことができてコストダウンとなる。
【００１８】
この実施形態の照光キースイッチ１０においては、照光スイッチ板１４のキースイッチ１２との対向面（入光面部１４ｂを除く）には白色の印刷又は白色の塗料を塗布してもよく、このようにしたときには、ＬＥＤ１３から照射されて第１反射部１４ｃによりキースイッチ１２のスイッチ部１２ｂの上側に向けて反射された光は照光スイッチ板１４のキースイッチ１２との対向面側に漏れにくくなって、照光スイッチ板１４の照光面部１４ａをさらに明るくすることができる。
【００１９】
さらに、照光スイッチ板１４のキースイッチ１２との対向面（入光面部１４ｂを除く）には白色のシートを貼付してもよく、このようにしたときには、キースイッチ１２のスイッチ部１２ｂの上側に向けて反射された光は照光スイッチ板１４のキースイッチ１２との対向面側にさらに漏れにくくなって、照光スイッチ板１４の照光面部１４ａをさらに明るくすることができる。また、照光スイッチ板１４のキースイッチ１２との対向面（入光面部１４ｂを除く）にこのシートを貼付したときには、照光面部１４ａにキースイッチ１２のスイッチ部１２ｂが影となって現れるのを防ぐことができる。また、シートを貼付したときには、照光スイッチ板１４のスイッチ部１２ｂとの接触面に長期間の使用によって微細な傷が付くのを防ぐことができ、この傷によって照光面部１４ａに影が現れるのを防ぐことができる。
【００２０】
また、照光スイッチ板１４のキースイッチ１２との対向面（入光面部１４ｂを除く）にシートを貼付したときには、照光面部１４ａ側への反射効率を良くすることができるので、図３の照光スイッチ板１４の変形例に示すように、照光スイッチ板１４のキースイッチ１２との対向面の両側の第２反射部１４ｄを無くしてシートを貼付しやすくしたときでも十分に照光面部１４ａを照光させることができる。
【符号の説明】
【００２１】
１０…照光キースイッチ、１１…基板、１２…キースイッチ、１３…光源（ＬＥＤ）、１４…照光スイッチ板、１４ａ…照光面部、１４ｂ…入光面部、１４ｃ…反射部（第１反射部）、１４ｄ…第２反射部。
【図１】
2012248483.tif 000003
【図２】
2012248483.tif 000004
【図３】
2012248483.tif 000005